(57)【要約】【課題】容量が制限された電池電源の無駄な消費を避けるためのＡＰＯ機能を実行しながら、その実行過程をユーザが容易に認識する。【解決手段】キー入力部３６での操作がない状態を計時し、その計時内容に基づいて所定の操作がないことを表示部１７のバックライトの輝度を順次低下させることで段階的に表示出力し、計時内容が予め設定した値となった時点で記録モードを解除して電源オフする制御部３２を備える。【選択図】    図２
2004304260.tif 000002
【特許請求の範囲】
【請求項１】
第１の動作モードと、この第１の動作モードよりも電力消費の少ない第２の動作モードを切換可能な電子機器であって、
上記第１の動作モード時の所定の操作がない状態を計時する計時手段と、
この計時手段の計時内容に基づいて所定の操作がないことを段階的に報知出力する報知出力制御手段と、
上記計時手段の計時内容が予め設定した値となった時点で上記第１の動作モードから第２の動作モードに移行させるモード制御手段と
を具備したことを特徴とする電子機器。
【請求項２】
上記第２の動作モードは、電源を切断した状態であることを特徴とする請求項１記載の電子機器。
【請求項３】
発光表示素子を具備し、
上記報知出力制御手段は、上記発光表示素子における発光輝度を段階的に変化させる
ことを特徴とする請求項１または２記載の電子機器。
【請求項４】
発光表示素子を具備し、
上記報知出力制御手段は、上記発光表示素子における発光色及び単位時間当たりの発光頻度の少なくとも一方を段階的に変化させる
ことを特徴とする請求項１または２記載の電子機器。
【請求項５】
音声出力素子を具備し、
上記報知出力制御手段は、上記音声出力素子における出力音声の音程及び単位時間当たりの出力頻度の少なくとも一方を段階的に変化させる
ことを特徴とする請求項１または２記載の電子機器。
【請求項６】
振動素子を具備し、
上記報知出力制御手段は、上記振動素子における振動強度、振動パターン及び単位時間当たりの振動頻度の少なくとも１つを段階的に変化させる
ことを特徴とする請求項１または２記載の電子機器。
【請求項７】
第１の動作モードと、この第１の動作モードよりも電力消費の少ない第２の動作モードを切換可能な電子機器の電源制御方法であって、
上記第１の動作モード時の所定の操作がない状態を計時する計時工程と、
この計時工程での計時内容に基づいて所定の操作がないことを段階的に報知出力する報知出力制御工程と、
上記計時工程での計時内容が予め設定した値となった時点で上記第１の動作モードから第２の動作モードに移行させるモード制御工程と
を有したことを特徴とする電源制御方法。
【請求項８】
第１の動作モードと、この第１の動作モードよりも電力消費の少ない第２の動作モードを切換可能な電子機器に内蔵されたコンピュータで実行するプログラムであって、
上記第１の動作モード時の所定の操作がない状態を計時する計時ステップと、
この計時ステップでの計時内容に基づいて所定の操作がないことを段階的に報知出力する報知出力制御ステップと、
上記計時ステップでの計時内容が予め設定した値となった時点で上記第１の動作モードから第２の動作モードに移行させるモード制御ステップと
をコンピュータに実行させることを特徴とするプログラム。
【発明の詳細な説明】
【０００１】
【発明の属する技術分野】
本発明は、例えばデジタルカメラやカメラ付きの携帯電話機などの電池を電源とした電子機器とその電源制御方法及びプログラムに関する。
【０００２】
【従来の技術】
電卓や電子手帳、ＰＤＡ（Ｐｅｒｓｏｎａｌ  Ｄｉｇｉｔａｌ  Ａｓｓｉｓｔａｎｔ：個人向け携帯情報端末）、デジタルカメラ、電子辞書など、ある程度の携帯性を重視し、電池を電源として動作する多くの電子機器では、一定時間ユーザの操作がないと自動的に電源を切断するＡＰＯ（Ａｕｔｏｍａｔｉｃ  Ｐｏｗｅｒ  Ｏｆｆ）機能を搭載している。
【０００３】
このＡＰＯ機能は、ユーザの操作がない状態が一定時間、例えば３分が経過した時点で内部タイマによりこれを判断し、それまでの電源オン状態から自動的に電源オフ状態に切換えるものであり、換言すれば、電源をオフする直前まで、通常の電源オン状態を維持している。
【０００４】
また、カラーテレビ受信機等において、電源をオフさせるための操作があっても所定時間内は猶予時間として表示と音声の出力を一時的に停止して仮の電源オフとなるような待機状態を維持し、該所定時間を経過したときに真の電源オフに移行するようにした技術が開示されている。（例えば、特許文献１参照。）
【０００５】
【特許文献１】
特開平５−１６１０９３号公報
【０００６】
【発明が解決しようとする課題】
上述した如く一般的なＡＰＯ機能では、電源をオフする直前まで、通常の電源オン状態を維持しているため、ユーザはいつ電源がオフされるのかを正確に認識することができない。
【０００７】
例えば合焦動作を必要としない固定焦点式のデジタルスチルカメラでは、シャッタキーの２段階操作の１段目でＡＦ（自動合焦）動作等を行なう方式のカメラと異なり、シャッタキーの操作が１段階で全ての撮影動作を実行するようになっており、その分だけシャッタキーの操作頻度が少なくなる。
【０００８】
したがって、上記のようにＡＰＯ機能が働くことで、直前まで電源がオンされていたのでシャッタキーを操作したら、いつのまにか電源がオフされており、大事なシャッタチャンスを逃してしまう、という事態も充分起こりうる。
【０００９】
また、上記特許文献１に記載の技術も、誤った電源オフの操作を許容し、電源キーの操作により即座に電源オンの状態に復帰できるようにしたもので、見かけ上の電源オフ状態が、仮の電源オフ状態であるのか、真の電源オフ状態であるのかをユーザが知ることはできず、再度の電源オンの操作後、装置の立上げに要する時間から判断するしかない。
【００１０】
したがって、上記特許文献１に記載されたテレビ受信機等のように、例えばテレビ番組を視聴する、というような、ユーザが一方的に受け身となる装置であれば、ある程度有効な技術であるかもしれない。
【００１１】
しかしながら、例えばデジタルカメラで画像を撮影する場合のようにユーザが能動的な操作を要求される機器では、無駄な電力消費を避けるためのＡＰＯ機能を搭載することにより、あとどの程度の時間で電源がオフされてしまうのかをユーザが常に認識していなければならず、上記特許文献１のような技術は役に立たない。
【００１２】
本発明は上記のような実情に鑑みてなされたもので、その目的とするところは、容量が制限された電池電源の無駄な消費を避けるためのＡＰＯ機能を実行しながら、その実行過程をユーザが容易に認識することが可能な電子機器、電源制御方法及びプログラムを提供することにある。
【００１３】
【課題を解決するための手段】
請求項１記載の発明は、第１の動作モードと、この第１の動作モードよりも電力消費の少ない第２の動作モードを切換可能な電子機器であって、上記第１の動作モード時の所定の操作がない状態を計時する計時手段と、この計時手段の計時内容に基づいて所定の操作がないことを段階的に報知出力する報知出力制御手段と、上記計時手段の計時内容が予め設定した値となった時点で上記第１の動作モードから第２の動作モードに移行させるモード制御手段とを具備したことを特徴とする。
【００１４】
このような構成とすれば、第１の動作モードから、より電力消費の少ない第２の動作モードに移行するまでの経過工程をなんらかの報知出力手段により段階的に報知出力するようにしたため、その状態をユーザが容易に認識できる。
【００１５】
請求項２記載の発明は、上記請求項１記載の発明において、上記第２の動作モードは、電源を切断した状態であることを特徴とする。
【００１６】
このような構成とすれば、上記請求項１記載の発明の作用に加えて、ＡＰＯ機能を搭載するすべての機器に適応することができる。
【００１７】
請求項３記載の発明は、上記請求項１または２記載の発明において、発光表示素子を具備し、上記報知出力制御手段は、上記発光表示素子における発光輝度を段階的に変化させることを特徴とする。
【００１８】
このような構成とすれば、上記請求項１記載の発明の作用に加えて、例えば液晶パネルのバックライトの輝度を順次段階的に低下させるなど、発光表示素子の発光輝度により視覚的に容易に第２の動作モードへの移行状態を把握できると共に、電力消費の削減にも寄与できる。
【００１９】
請求項４記載の発明は、上記請求項１または２記載の発明において、発光表示素子を具備し、上記報知出力制御手段は、上記発光表示素子における発光色及び単位時間当たりの発光頻度の少なくとも一方を段階的に変化させることを特徴とする。
【００２０】
このような構成とすれば、上記請求項１または２記載の発明の作用に加えて、例えばＬＥＤの発光色や点滅パターン等により視覚的に容易に第２の動作モードへの移行状態を把握できる。
【００２１】
請求項５記載の発明は、上記請求項１または２記載の発明において、音声出力素子を具備し、上記報知出力制御手段は、上記音声出力素子における出力音声の音程及び単位時間当たりの出力頻度の少なくとも一方を段階的に変化させることを特徴とする。
【００２２】
このような構成とすれば、上記請求項１または２記載の発明の作用に加えて、例えばビープ音の音程や出力パターン等により、機器自体を注視していなくとも聴覚で容易に第２の動作モードへの移行状態を把握できる。
【００２３】
請求項６記載の発明は、上記請求項１または２記載の発明において、振動素子を具備し、上記報知出力制御手段は、上記振動素子における振動強度、振動パターン及び単位時間当たりの振動頻度の少なくとも１つを段階的に変化させることを特徴とする。
【００２４】
このような構成とすれば、上記請求項１または２記載の発明の作用に加えて、例えばバイブレータの振動強度、振動パターンや振動頻度により、機器を保持しているだけでその振動内容から容易に第２の動作モードへの移行状態を把握できる。
【００２５】
請求項７記載の発明は、第１の動作モードと、この第１の動作モードよりも電力消費の少ない第２の動作モードを切換可能な電子機器の電源制御方法であって、上記第１の動作モード時の所定の操作がない状態を計時する計時工程と、この計時工程での計時内容に基づいて所定の操作がないことを段階的に報知出力する報知出力制御工程と、上記計時工程での計時内容が予め設定した値となった時点で上記第１の動作モードから第２の動作モードに移行させるモード制御工程とを有したことを特徴とする。
【００２６】
このような方法とすれば、第１の動作モードから、より電力消費の少ない第２の動作モードに移行するまでの経過工程をなんらかの報知出力手段により段階的に出力するようにしたため、その状態をユーザが容易に認識できる。
【００２７】
請求項８記載の発明は、第１の動作モードと、この第１の動作モードよりも電力消費の少ない第２の動作モードを切換可能な電子機器に内蔵されたコンピュータで実行するプログラムであって、上記第１の動作モード時の所定の操作がない状態を計時する計時ステップと、この計時ステップでの計時内容に基づいて所定の操作がないことを段階的に報知出力する報知出力制御ステップと、上記計時ステップでの計時内容が予め設定した値となった時点で上記第１の動作モードから第２の動作モードに移行させるモード制御ステップとをコンピュータに実行させることを特徴とする。
【００２８】
このようなプログラム内容とすれば、第１の動作モードから、より電力消費の少ない第２の動作モードに移行するまでの経過工程をなんらかの出力手段により段階的に出力するようにしたため、その状態をユーザが容易に認識できる。
【００２９】
【発明の実施の形態】
（第１の実施の形態）
以下本発明をデジタルカメラに適用した場合の第１の実施の形態について図面を参照して説明する。
【００３０】
図１は、その外観構成を示すもので、図１（Ａ）が主に前面の、図１（Ｂ）が主に背面の構成を示す斜視図である。
【００３１】
このデジタルカメラ１は、略矩形の薄板状ボディの前面に、撮影レンズ２、セルフタイマランプ３、光学ファインダ窓４、マイクロホン部５、ストロボ発光部６、及びラバーグリップ７を配設し、上面の（ユーザにとって）右端側には電源キー８及びシャッタキー９を配する。
【００３２】
ラバーグリップ７は、ユーザが撮影時にデジタルカメラ１を右手で筐体右側面側から把持した場合に右手中指、薬指、及び小指が確実に該筐体を把持できるように配設されたゴム製の帯状突起である。
【００３３】
また、電源キー８は、電源のオン／オフ毎に操作するキーであり、シャッタキー９は、撮影モード時に撮影タイミングを指示する。
【００３４】
また、デジタルカメラ１の背面には、モードスイッチ（ＳＷ）１０、スピーカ部１１、メニューキー１２、十字キー１３、セットキー１４、光学ファインダ１５、ストロボチャージランプ１６、及び表示部１７を配する。
【００３５】
モードスイッチ１０は、例えばスライドキースイッチにより構成され、基本モードである記録モード「Ｒ」と再生モード「Ｐ」とを切換える。
【００３６】
メニューキー１２は、各種メニュー項目等を選択させる際に操作する。
【００３７】
十字キー１３は、上下左右各方向へのカーソル移動用のキーが一体に形成されたものであり、表示されているメニュー項目等を移動させる際に操作する。
【００３８】
セットキー１４は、上記十字キー１３の中心位置に配置され、その時点で設定されているメニュー項目等を設定するために操作する。
【００３９】
表示部１７は、バックライト付きのカラー液晶パネルで構成されるもので、記録モード時には電子ファインダとしてスルー画像のモニタ表示を行なう一方で、再生モード時には選択した画像等を再生表示する。
【００４０】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉｕａｌ  Ｂｕｓ）コネクタ等が設けられるものとする。
【００４１】
次いで図２により上記デジタルカメラ１の電子回路構成を説明する。
同図で、基本モードである記録モードにおいては、モータ（Ｍ）２１の駆動により合焦位置や絞り位置が移動される、上記撮影レンズ２を構成するレンズ光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１画面分出力する。
【００４２】
この光電変換出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、カラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（ＤｉｒｅｃｔＭｅｍｏｒｙ  Ａｃｃｅｓｓ）コントローラ２９に出力される。
【００４３】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００４４】
制御部３２は、ＣＰＵと、後述するＡＰＯ機能に対応した電源制御の処理を含む該ＣＰＵで実行される動作プログラムを固定的に記憶したＲＯＭ、及びワークメモリとして使用されるＲＡＭ、後述するキー操作のない状態を計時する内部タイマ等により構成され、このデジタルカメラ１全体の制御動作を司るもので、上記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００４５】
デジタルビデオエンコーダ３５は、上記輝度及び色差信号をＶＲＡＭコントローラ３３を介してＶＲＡＭ３４より定期的に読出し、これらのデータを元にビデオ信号を発生して上記表示部１７に出力する。
【００４６】
この表示部１７は、上述した如く記録モード時にはモニタ表示部（電子ファインダ）として機能するもので、デジタルビデオエンコーダ３５からのビデオ信号に基づいた表示を行なうことで、その時点でＶＲＡＭコントローラ３３から取込んでいる画像情報に基づく画像をリアルタイムに表示することとなる。
【００４７】
このように表示部１７にその時点での画像がモニタ画像としてリアルタイムに表示されている状態で、静止画撮影を行ないたいタイミングでキー入力部３６を構成する上記シャッタキー９を操作すると、トリガ信号を発生する。
【００４８】
制御部３２は、このトリガ信号に応じてその時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００４９】
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３７に書込み、このＪＰＥＧ回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００５０】
そして、得た符号データを１画像のデータファイルとして該ＪＰＥＧ回路３７から読出し、このデジタルカメラ１の記録媒体として着脱自在に装着されるメモリカード３８か、またはこのデジタルカメラ１に固定的に内蔵される内蔵メモリ３９のいずれか一方に書込む。
【００５１】
そして、１フレーム分の輝度及び色差信号の圧縮処理及びメモリカード３８または内蔵メモリ３９への全圧縮データの書込み終了に伴なって、制御部３２はＣＣＤ２３からＤＲＡＭ３１への経路を再び起動する。
【００５２】
また、制御部３２にはさらに、音声処理部４０、ＵＳＢインタフェース（Ｉ／Ｆ）４１、ＬＥＤ部４２、バイブレータ部４３、及びストロボ駆動部４４が接続される。
【００５３】
音声処理部４０は、ＰＣＭ音源等の音源回路を備え、音声の録音時には上記マイクロホン部（ＭＩＣ）５より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード３８または内蔵メモリ３９へ送出する一方、音声の再生時にはメモリカード３８または内蔵メモリ３９から送られてきた音声データファイルの圧縮を解いてアナログ化し、上記スピーカ部（ＳＰ）１１を駆動して、拡声放音させる。
【００５４】
ＵＳＢインタフェース４１は、ＵＳＢコネクタを介して有線接続されるパーソナルコンピュータ等の他の情報端末装置との間で画像データその他の送受を行なう場合の通信制御を行なう。
【００５５】
ＬＥＤ部４２は、上記セルフタイマランプ３及びストロボチャージランプ１６とその駆動回路とにより構成されるもので、特にストロボチャージランプ１６は筐体内部にＲＧＢ３色のＬＥＤを設け、これらを適宜単独あるいは組合わせて階調発光させることで、任意の色での点灯、点滅発光が可能であるものとする。
【００５６】
バイブレータ部４３は、制御部３２からの制御に基づいた振動パターン及び振動強度で振動する。
【００５７】
ストロボ駆動部４４は、静止画像撮影時に図示しないストロボ用の大容量コンデンサを充電した上で、制御部３２からの制御に基づいて上記ストロボ発光部６を閃光駆動する。
【００５８】
なお、上記キー入力部３６は、上述したシャッタキー９の他に、上記電源キー８、モードスイッチ１０、メニューキー１２、十字キー１３及びセットキー１４等から構成され、それらのキー操作に伴なう信号は直接制御部３２へ送出される。
【００５９】
しかるに、静止画像ではなく動画像の撮影時においては、キー入力部３６のシャッタキー９が操作され続けている間、上述した静止画像データをＪＰＥＧ回路３７でデータ圧縮した静止画データファイルのメモリカード３８または内蔵メモリ３９への記録を時間的に連続して実行し、該シャッタキー９の操作が終わるか、または所定の制限時間、例えば３０秒が経過した時点でそれら一連の静止画データファイルを一括してモーションＪＰＥＧのデータファイルとして設定し直す。
【００６０】
また、基本モードである再生モード時には、制御部３２がメモリカード３８または内蔵メモリ３９に記録されている画像データを選択的に読出し、ＪＰＥＧ回路３７で記録モード時にデータ圧縮した手順と全く逆の手順で圧縮されている画像データを伸長し、伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読出してビデオ信号を発生し、上記表示部１７で再生出力させる。
【００６１】
選択した画像データが静止画像ではなく動画像であった場合、選択した動画像ファイルを構成する個々の静止画像データの再生を時間的に連続して実行し、すべての静止画像データの再生を終了した時点で、次に再生の指示がなされるまで先頭に位置する静止画像データのみを用いて再生表示する。
【００６２】
次に上記実施の形態の動作について説明する。
図３は、制御部３２が実行する、電源キー８の操作を含む電源制御の処理内容を示すものである。
【００６３】
その処理当初には、電源キー８の操作により電源がオンされるのを待機し（ステップＡ０１）、オンされたと判断した時点で、上記モードスイッチ１０の操作状態に応じて記録モードあるいは再生モードの動作を開始すると共に、ＡＰＯ機能がオン設定されているか否かを判断する（ステップＡ０２）。
【００６４】
ここで、ＡＰＯ機能がオフ設定されていると判断した場合には、以後電源キー８の再度の操作により電源オフが指示されるのを待機し（ステップＡ０３）、電源キー８が操作されたと判断した時点で、動作モードが記録モードであればＣＣＤ２３の駆動から表示部１７でのスルー画像の表示までを含む動作、動作モードが再生モードであればメモリカード３８または内蔵メモリ３９からの画像データの読出しから表示部１７での画像の再生表示までを含む動作をすみやかに停止させる電源オフ処理を実行した上で（ステップＡ０４）、再び上記ステップＡ０１に戻り、再度の電源キー８の操作により電源がオンされるのを待機する。
【００６５】
また、上記ステップＡ０２でＡＰＯ機能がオン設定されていると判断した場合には、制御部３２の内部タイマによるカウント値ｔをリセットして（ステップＡ０５）、カウント値「０」からのタイムカウントを開始させる。
【００６６】
この状態で、電源キー８の操作により電源オフが指示されたか否かを判断し（ステップＡ０６）、電源キー８が操作されていなければキー入力部３６の他のキーが操作されたか否かを判断する（ステップＡ０７）。
【００６７】
電源キー８以外のキー入力部３６のキーが操作された場合には、ステップＡ０７でこれを判断し、上記制御部３２の内部タイマによるカウント値ｔを再度リセットして（ステップＡ０８）、カウント値「０」からのタイムカウントを開始させると共に、上記ステップＡ０６からの処理に戻る。
【００６８】
また、ステップＡ０７で電源キー８以外のキー入力部３６のキーも操作されていないと判断した場合には、次にその時点での制御部３２の内部タイマのカウント値ｔが予め設定された第１の時間値Ｔ１（＝例えば６０秒）より小さいか否かを判断し（ステップＡ０９）、該時間値Ｔ１より小さい場合にはそのまま上記ステップＡ０６からの処理に戻る。
【００６９】
しかして、キー入力部３６を構成するいずれのキー操作もないままに上記ステップＡ０６，Ａ０７，Ａ０９の処理を繰返し実行しながら時間が経過し、制御部３２の内部タイマのカウント値ｔが上記時間値Ｔ１以上となると、ステップＡ０９によりこれを判断し、次にその時点での制御部３２の内部タイマのカウント値ｔが、上記時間値Ｔ１以上であり、且つ予め設定した第２の時間値Ｔ２（＝例えば１２０秒）より小さいか否かを判断する（ステップＡ１０）。
【００７０】
内部タイマのカウント値ｔが該時間値Ｔ２より小さい場合には、表示部１７を構成するバックライトの発光輝度を５０％ダウンさせた上で（ステップＡ１１）、再び上記ステップＡ０６からの処理に戻る。
【００７１】
こうして表示部１７のバックライトの発光輝度を５０％ダウンさせた状態でキー入力部３６を構成するいずれのキー操作もないままに上記ステップＡ０６，Ａ０７，Ａ０９〜Ａ１１の処理を繰返し実行しながらさらに時間が経過し、制御部３２の内部タイマのカウント値ｔが上記時間値Ｔ２以上となると、ステップＡ１０によりこれを判断し、次にその時点での制御部３２の内部タイマのカウント値ｔが、今度は上記時間値Ｔ２以上であり、且つ予め設定した第３の時間値Ｔ３（＝例えば１８０秒）より小さいか否かを判断する（ステップＡ１２）。
【００７２】
内部タイマのカウント値ｔが該時間値Ｔ３より小さい場合には、表示部１７を構成するバックライトの発光輝度を今度は８０％ダウンさせた上で（ステップＡ１３）、再び上記ステップＡ０６からの処理に戻る。
【００７３】
こうして表示部１７のバックライトの発光輝度を８０％ダウンさせた状態でキー入力部３６を構成するいずれのキー操作もないままに上記ステップＡ０６，Ａ０７，Ａ０９，Ａ１０，Ａ１２，Ａ１３の処理を繰返し実行しながらさらに時間が経過し、制御部３２の内部タイマのカウント値ｔが上記時間値Ｔ３以上となると、ステップＡ１２によりこれを判断し、動作モードが記録モードであればＣＣＤ２３の駆動から表示部１７でのスルー画像の表示までを含む動作、動作モードが再生モードであればメモリカード３８または内蔵メモリ３９からの画像データの読出しから表示部１７での画像の再生表示までを含む動作をすみやかに停止させる電源オフ処理を実行した上で（ステップＡ１４）、再び上記ステップＡ０１に戻り、再度の電源キー８の操作により電源がオンされるのを待機する。
【００７４】
また、上記ステップＡ０６で電源キー８の操作により電源オフが指示されたと判断した場合には、すみやかに上記ステップＡ１４に進んで電源オフ処理を実行した上で、再び上記ステップＡ０１に戻り、再度の電源キー８の操作により電源がオンされるのを待機する。
【００７５】
以上示した如く、ＡＰＯ機能がオン設定されている状態では、キー入力部３６の電源キー８以外のキー操作がない場合、電源キー８操作によるはじめの電源オン時から時間値Ｔ１となるまでの間は表示部１７のバックライトをフルに発光駆動（発光輝度１００％）し、時間値Ｔ１となってから次の時間値Ｔ２となるまでの間は該バックライトの発光輝度を５０％ダウンさせ、さらに時間値Ｔ２となってから次の時間値Ｔ３となるまでの間は該バックライトの発光輝度を８０％ダウンさせ、最後に時間値Ｔ３となった時点でＡＰＯ機能を実行するものとして電源をオフさせる。
【００７６】
このようにＡＰＯ機能により電源をオフするまでの間においても、その計時内容に応じて表示部１７のバックライトの発光輝度を順次段階的にダウンさせ、表示部１７での表示が暗くなるようにした。
【００７７】
これによりこのデジタルカメラ１のユーザは、表示部１７での表示画像の明るさから、ＡＰＯ機能が実行されて電源がオフされるまでのおおよその時間を視覚的に容易に把握できる。
【００７８】
したがってユーザは、例えば記録モード時にシャッタチャンスを待機している状態で表示部１７の表示画像がほとんど認識できないレベルまで暗くなった場合には、動作に支障のないなんらかのキー操作、例えば十字キー１３の左右方向キーを操作して露出補正操作を行ない、すぐに元の露出補正値に戻すなどの操作を行なうことで内部タイマのカウント値ｔをリセットさせ、表示部１７を明るい表示状態に戻して、さらにシャッタチャンスを待機するようにすれば、突然ＡＰＯ機能が実行されて電源がオフさせてしまい、シャッタチャンスを逃すというような事態を容易に回避することができる。
【００７９】
加えて、ＡＰＯ機能により電源をオフするまでの間、キー入力部３６の電源キー８以外のキーの操作がなされない状態が長くなるほど表示部１７のバックライトの発光輝度をダウンさせることで、デジタルカメラ１の中でも比較的電力消費量の大きいバックライトの電力消費を抑え、容量が制限されている電池電源をより有効に活用することができる。
【００８０】
また、上記第１の実施の形態では、ＡＰＯ機能がオン設定されている状態で表示部１７のバックライトの発光輝度をキー操作がない時間に対応して徐々にダウンさせるものとしたが、これに代えて、表示部１７のバックライトを一瞬消灯し、併せて表示部１７の液晶表示パネルでの駆動も停止する、所謂「ブラックアウト」の状態の頻度をキー操作がない時間に対応して段階的に増やし、且つ一回のブラックアウトの時間自体も段階的に長くなるようにすることも考えられる。
【００８１】
このようにした場合、最終的にＡＰＯ機能が実行されて電源がオフされると、当然ながら表示部１７での表示も停止されるので、きわめて自然な電源制御の流れでユーザに対する電源オフに至るまでの状態を警告表示することができる。
【００８２】
この際、「ブラックアウト」の状態となっていない場合に表示部１７では、合わせてＡＰＯ機能が実行されて電源がオフされることを文字やアイコンで表示し、あるいは電源がオフされるまでの残り時間をカウントダウン形式で表示するものとしてもよい。
【００８３】
（第２の実施の形態）
以下本発明をデジタルカメラに適用した場合の第２の実施の形態について図面を参照して説明する。
【００８４】
なお、その外観構成については上記図１と、電子回路構成については図２と基本的に同様であるので、同一部分には同一符号を用いてその図示及び説明は省略するものとする。
【００８５】
次に上記実施の形態の動作について説明する。
ここでは、キー入力部３６の電源キー８以外のキーが操作されない状態でストロボチャージランプ１６がＡＰＯ機能による電源オフまでの時間を警告するランプとしても機能するものとする。
【００８６】
図４は、制御部３２が実行する、電源キー８の操作を含む電源制御の処理内容を示すものである。
【００８７】
その処理当初には、電源キー８の操作により電源がオンされるのを待機し（ステップＢ０１）、オンされたと判断した時点で、上記モードスイッチ１０の操作状態に応じて記録モードあるいは再生モードの動作を開始すると共に、ＡＰＯ機能がオン設定されているか否かを判断する（ステップＢ０２）。
【００８８】
ここで、ＡＰＯ機能がオフ設定されていると判断した場合には、以後電源キー８の再度の操作により電源オフが指示されるのを待機し（ステップＢ０３）、電源キー８が操作されたと判断した時点で、動作モードが記録モードであればＣＣＤ２３の駆動から表示部１７でのスルー画像の表示までを含む動作、動作モードが再生モードであればメモリカード３８または内蔵メモリ３９からの画像データの読出しから表示部１７での画像の再生表示までを含む動作をすみやかに停止させる電源オフ処理を実行した上で（ステップＢ０４）、再び上記ステップＢ０１に戻り、再度の電源キー８の操作により電源がオンされるのを待機する。
【００８９】
また、上記ステップＢ０２でＡＰＯ機能がオン設定されていると判断した場合には、制御部３２の内部タイマによるカウント値ｔをリセットして（ステップＢ０５）、カウント値「０」からのタイムカウントを開始させる。
【００９０】
この状態で、電源キー８の操作により電源オフが指示されたか否かを判断し（ステップＢ０６）、電源キー８が操作されていなければキー入力部３６の他のキーが操作されたか否かを判断する（ステップＢ０７）。
【００９１】
電源キー８以外のキー入力部３６のキーが操作された場合には、ステップＢ０７でこれを判断し、上記制御部３２の内部タイマによるカウント値ｔを再度リセットして（ステップＢ０８）、カウント値「０」からのタイムカウントを開始させると共に、上記ステップＢ０６からの処理に戻る。
【００９２】
また、ステップＢ０７で電源キー８以外のキー入力部３６のキーも操作されていないと判断した場合には、次にその時点での制御部３２の内部タイマのカウント値ｔが予め設定された第１の時間値Ｔ１（＝例えば６０秒）より小さいか否かを判断し（ステップＢ０９）、該時間値Ｔ１より小さい場合にはストロボチャージランプ１６を緑色で常時点灯発光し（ステップＢ１０）、再び上記ステップＢ０６からの処理に戻る。
【００９３】
しかして、ストロボチャージランプ１６を緑色で常時点灯発光した状態でキー入力部３６を構成するいずれのキー操作もないままに上記ステップＢ０６，Ｂ０７，Ｂ０９，Ｂ１０の処理を繰返し実行しながら時間が経過し、制御部３２の内部タイマのカウント値ｔが上記時間値Ｔ１以上となると、ステップＢ０９によりこれを判断し、次にその時点での制御部３２の内部タイマのカウント値ｔが、上記時間値Ｔ１以上であり、且つ予め設定した第２の時間値Ｔ２（＝例えば１２０秒）より小さいか否かを判断する（ステップＢ１１）。
【００９４】
内部タイマのカウント値ｔが該時間値Ｔ２より小さい場合には、ストロボチャージランプ１６を黄色で遅い点滅発光（例えば２秒に１回）し（ステップＢ１２）、再び上記ステップＢ０６からの処理に戻る。
【００９５】
こうしてストロボチャージランプ１６を黄色で遅い点滅発光した状態でキー入力部３６を構成するいずれのキー操作もないままに上記ステップＢ０６，Ｂ０７，Ｂ０９，Ｂ１１，Ｂ１２の処理を繰返し実行しながらさらに時間が経過し、制御部３２の内部タイマのカウント値ｔが上記時間値Ｔ２以上となると、ステップＢ１１によりこれを判断し、次にその時点での制御部３２の内部タイマのカウント値ｔが、今度は上記時間値Ｔ２以上であり、且つ予め設定した第３の時間値Ｔ３（＝例えば１８０秒）より小さいか否かを判断する（ステップＢ１３）。
【００９６】
内部タイマのカウント値ｔが該時間値Ｔ３より小さい場合には、ストロボチャージランプ１６を今度は赤色で早い点滅発光（例えば０．５［秒］に１回）させた上で（ステップＢ１４）、再び上記ステップＢ０６からの処理に戻る。
【００９７】
こうしてストロボチャージランプ１６を赤色で早い点滅発光させた状態でキー入力部３６を構成するいずれのキー操作もないままに上記ステップＢ０６，Ｂ０７，Ｂ０９，Ｂ１１，Ｂ１３，Ｂ１４の処理を繰返し実行しながらさらに時間が経過し、制御部３２の内部タイマのカウント値ｔが上記時間値Ｔ３以上となると、ステップＢ１３によりこれを判断し、動作モードが記録モードであればＣＣＤ２３の駆動から表示部１７でのスルー画像の表示までを含む動作、動作モードが再生モードであればメモリカード３８または内蔵メモリ３９からの画像データの読出しから表示部１７での画像の再生表示までを含む動作をすみやかに停止させる電源オフ処理を実行した上で（ステップＢ１５）、再び上記ステップＢ０１に戻り、再度の電源キー８の操作により電源がオンされるのを待機する。
【００９８】
また、上記ステップＢ０６で電源キー８の操作により電源オフが指示されたと判断した場合には、すみやかに上記ステップＢ１５に進んで電源オフ処理を実行した上で、再び上記ステップＢ０１に戻り、再度の電源キー８の操作により電源がオンされるのを待機する。
【００９９】
以上示した如く、ＡＰＯ機能がオン設定されている状態では、キー入力部３６の電源キー８以外のキー操作がない場合、電源キー８操作によるはじめの電源オン時から時間値Ｔ１となるまでの間はストロボチャージランプ１６を緑色で点灯発光し、時間値Ｔ１となってから次の時間値Ｔ２となるまでの間は該ストロボチャージランプ１６を黄色で遅い点滅発光させ、さらに時間値Ｔ２となってから次の時間値Ｔ３となるまでの間は該ストロボチャージランプ１６を赤色で早い点滅発光させ、最後に時間値Ｔ３となった時点でＡＰＯ機能を実行するものとして電源をオフさせる。
【０１００】
このようにＡＰＯ機能により電源をオフするまでの間においても、その計時内容に応じてストロボチャージランプ１６の発光色及び発光パターンを順次段階的に変化させるようにした。
【０１０１】
これによりこのデジタルカメラ１のユーザは、ストロボチャージランプ１６の発光の色とパターンとから、ＡＰＯ機能が実行されて電源がオフされるまでのおおよその時間を視覚的に容易に把握できる。
【０１０２】
したがってユーザは、例えば記録モード時にシャッタチャンスを待機している状態でストロボチャージランプ１６が早い点滅発光している場合には、動作に支障のないなんらかのキー操作、例えばその時点ではＮＯＰ（Ｎｏ  ＯＰｅｒａｔｉｏｎ：無効）状態である十字キー１３の中央に位置するセットキー１４を操作するなどで内部タイマのカウント値ｔをリセットさせ、ストロボチャージランプ１６を緑色で点灯発光する状態に戻して、さらにシャッタチャンスを待機するようにすれば、突然ＡＰＯ機能が実行されて電源がオフさせてしまい、シャッタチャンスを逃すというような事態を容易に回避することができる。
【０１０３】
また、上記実施の形態では、ストロボチャージランプ１６の発光色及び発光パターンを順次段階的に変化させるようにしたが、発光色は変えずに発光パターンを順次変化させるようにしたり、発光パターンは変えずに発光色だけを変えるようにしてもよい。
【０１０４】
（第３の実施の形態）
以下本発明をデジタルカメラに適用した場合の第３の実施の形態について図面を参照して説明する。
【０１０５】
なお、その外観構成については上記図１と、電子回路構成については図２と基本的に同様であるので、同一部分には同一符号を用いてその図示及び説明は省略するものとする。
【０１０６】
次に上記実施の形態の動作について説明する。
ここでは、キー入力部３６の電源キー８以外のキーが操作されない状態で、スピーカ部１１よりビープ音を拡声出力すると共に、バイブレータ部４３によりスピーカ部１１の筐体自体を振動させて、ＡＰＯ機能による電源オフまでの時間を警告するものとする。
【０１０７】
図５は、制御部３２が実行する、電源キー８の操作を含む電源制御の処理内容を示すものである。
【０１０８】
その処理当初には、電源キー８の操作により電源がオンされるのを待機し（ステップＣ０１）、オンされたと判断した時点で、上記モードスイッチ１０の操作状態に応じて記録モードあるいは再生モードの動作を開始すると共に、ＡＰＯ機能がオン設定されているか否かを判断する（ステップＣ０２）。
【０１０９】
ここで、ＡＰＯ機能がオフ設定されていると判断した場合には、以後電源キー８の再度の操作により電源オフが指示されるのを待機し（ステップＣ０３）、電源キー８が操作されたと判断した時点で、動作モードが記録モードであればＣＣＤ２３の駆動から表示部１７でのスルー画像の表示までを含む動作、動作モードが再生モードであればメモリカード３８または内蔵メモリ３９からの画像データの読出しから表示部１７での画像の再生表示までを含む動作をすみやかに停止させる電源オフ処理を実行した上で（ステップＣ０４）、再び上記ステップＣ０１に戻り、再度の電源キー８の操作により電源がオンされるのを待機する。
【０１１０】
また、上記ステップＣ０２でＡＰＯ機能がオン設定されていると判断した場合には、制御部３２の内部タイマによるカウント値ｔをリセットして（ステップＣ０５）、カウント値「０」からのタイムカウントを開始させる。
【０１１１】
この状態で、電源キー８の操作により電源オフが指示されたか否かを判断し（ステップＣ０６）、電源キー８が操作されていなければキー入力部３６の他のキーが操作されたか否かを判断する（ステップＣ０７）。
【０１１２】
電源キー８以外のキー入力部３６のキーが操作された場合には、ステップＣ０７でこれを判断し、上記制御部３２の内部タイマによるカウント値ｔを再度リセットして（ステップＣ０８）、カウント値「０」からのタイムカウントを開始させると共に、上記ステップＣ０６からの処理に戻る。
【０１１３】
また、ステップＣ０７で電源キー８以外のキー入力部３６のキーも操作されていないと判断した場合には、次にその時点での制御部３２の内部タイマのカウント値ｔが予め設定された第１の時間値Ｔ１（＝例えば９０秒）より小さいか否かを判断し（ステップＣ０９）、該時間値Ｔ１より小さい場合には、弱い警告として長周期、例えば５［秒］に一回の割合で、スピーカ部１１より音程が低く、且つ時間的にも短いビープ音を拡声放音させると同時に、低い強度でバイブレータ部４３でもきわめて短時間だけ振動させ（ステップＣ１０）、再び上記ステップＣ０６からの処理に戻る。
【０１１４】
しかして、スピーカ部１１からのビープ音とバイブレータ部４３での振動による弱い警告を長周期毎に実行する状態で、キー入力部３６を構成するいずれのキー操作もないままに上記ステップＣ０６，Ｃ０７，Ｃ０９，Ｃ１０の処理を繰返し実行しながら時間が経過し、制御部３２の内部タイマのカウント値ｔが上記時間値Ｔ１以上となると、ステップＣ０９によりこれを判断し、次にその時点での制御部３２の内部タイマのカウント値ｔが、上記時間値Ｔ１以上であり、且つ予め設定した第２の時間値Ｔ２（＝例えば１５０秒）より小さいか否かを判断する（ステップＣ１１）。
【０１１５】
内部タイマのカウント値ｔが該時間値Ｔ２より小さい場合には、中程度の警告として中周期、例えば３［秒］に一回の割合で、スピーカ部１１より音程が若干高く、且つ２回連続したビープ音を拡声放音させると同時に、中程度の強度でバイブレータ部４３でも２回連続した振動を発生させ（ステップＣ１２）、再び上記ステップＣ０６からの処理に戻る。
【０１１６】
こうしてスピーカ部１１からのビープ音とバイブレータ部４３での振動による中程度の警告を中周期毎に実行する状態で、キー入力部３６を構成するいずれのキー操作もないままに上記ステップＣ０６，Ｃ０７，Ｃ０９，Ｃ１１，Ｃ１２の処理を繰返し実行しながらさらに時間が経過し、制御部３２の内部タイマのカウント値ｔが上記時間値Ｔ２以上となると、ステップＣ１１によりこれを判断し、次にその時点での制御部３２の内部タイマのカウント値ｔが、今度は上記時間値Ｔ２以上であり、且つ予め設定した第３の時間値Ｔ３（＝例えば１８０秒）より小さいか否かを判断する（ステップＣ１３）。
【０１１７】
内部タイマのカウント値ｔが該時間値Ｔ３より小さい場合には、強い警告としてきわめて短い周期、例えば１．５［秒］に一回の割合で、スピーカ部１１より音程が高く、且つ３回連続したビープ音を拡声放音させると同時に、強い強度でバイブレータ部４３でも３回連続した振動を発生させた上で（ステップＣ１４）、再び上記ステップＣ０６からの処理に戻る。
【０１１８】
こうしてスピーカ部１１からのビープ音とバイブレータ部４３での振動による強い警告を短周期毎に実行する状態で、キー入力部３６を構成するいずれのキー操作もないままに上記ステップＣ０６，Ｃ０７，Ｃ０９，Ｃ１１，Ｃ１３，Ｃ１４の処理を繰返し実行しながらさらに時間が経過し、制御部３２の内部タイマのカウント値ｔが上記時間値Ｔ３以上となると、ステップＣ１３によりこれを判断し、動作モードが記録モードであればＣＣＤ２３の駆動から表示部１７でのスルー画像の表示までを含む動作、動作モードが再生モードであればメモリカード３８または内蔵メモリ３９からの画像データの読出しから表示部１７での画像の再生表示までを含む動作をすみやかに停止させる電源オフ処理を実行した上で（ステップＣ１５）、再び上記ステップＣ０１に戻り、再度の電源キー８の操作により電源がオンされるのを待機する。
【０１１９】
また、上記ステップＣ０６で電源キー８の操作により電源オフが指示されたと判断した場合には、すみやかに上記ステップＣ１５に進んで電源オフ処理を実行した上で、再び上記ステップＣ０１に戻り、再度の電源キー８の操作により電源がオンされるのを待機する。
【０１２０】
以上示した如く、ＡＰＯ機能がオン設定されている状態では、キー入力部３６の電源キー８以外のキー操作がない場合、電源キー８操作によるはじめの電源オン時から時間値Ｔ１となるまでの間は、弱い警告として長周期毎に、音程が低く時間的にも短いビープ音を拡声放音すると同時に低い強度できわめて短時間だけ振動させ、時間値Ｔ１となってから次の時間値Ｔ２となるまでの間は中程度の警告として中周期毎に、音程が若干高く２回連続したビープ音を拡声放音させると同時に中程度の強度で２回連続した振動を発生させ、さらに時間値Ｔ２となってから次の時間値Ｔ３となるまでの間は強い警告としてきわめて短い周期毎に、音程が高く３回連続したビープ音を拡声放音させると同時に強い強度で３回連続した振動を発生させ、最後に時間値Ｔ３となった時点でＡＰＯ機能を実行するものとして電源をオフさせる。
【０１２１】
このようにＡＰＯ機能により電源をオフするまでの間においても、その計時内容に応じてスピーカ部１１からのビープ音の音程と発生頻度、バイブレータ部４３での振動の強度と発生頻度（振動パターン）を順次段階的に変化させるようにした。
【０１２２】
これによりこのデジタルカメラ１のユーザは、スピーカ部１１からのビープ音とバイブレータ部４３による振動内容とから、ＡＰＯ機能が実行されて電源がオフされるまでのおおよその時間を音と振動の双方により容易に把握できる。
【０１２３】
したがってユーザは、例えば記録モード時にシャッタチャンスを待機している状態でスピーカ部１１より高いビープ音が連続して拡声出力され、同時にデジタルカメラ１の筐体自体が強い強度で振動している場合には、動作に支障のないなんらかのキー操作、例えばメニューキー１２の操作で一旦メニュー項目を表示させた上で、それらのメニュー項目の変更を解除するキー操作を行なうことで内部タイマのカウント値ｔをリセットさせ、スピーカ部１１でのビープ音とバイブレータ部４３による振動が抑えられる弱い警告の状態に戻して、さらにシャッタチャンスを待機するようにすれば、突然ＡＰＯ機能が実行されて電源がオフさせてしまい、シャッタチャンスを逃すというような事態を容易に回避することができる。
【０１２４】
また、上記実施の形態では、スピーカ部１１からのビープ音とバイブレータ部４３による振動内容とから音と振動の双方により把握できるようにしたが、音だけや振動だけで把握できるようにしてもよい。
【０１２５】
なお、上記第１乃至第３の実施の形態は、いずれも主としてＡＰＯ機能により最終的に電源がオフされるまでの電源制御について説明したが、ＡＰＯ機能により電源をオフする場合だけでなく、スタンバイモードやパーソナルコンピュータにおけるサスペンドモードなど、ある程度の動作状態を維持しながら、見かけ上は電源がオフされるような、電力消費を低減する動作モードに移行させる場合についても同様の処理内容で実現できる。
【０１２６】
（第４の実施の形態）
以下本発明をカメラ機能付きでＣＤＭＡ（Ｃｏｄｅ  Ｄｉｖｉｓｉｏｎ  Ｍｕｌｔｉｐｌｅ  Ａｃｃｅｓｓ：符号分割多元接続）方式の携帯電話機に適用した場合の第４の実施の形態について図面を参照して説明する。
【０１２７】
図６（Ａ），（Ｂ）は、この第４の実施の形態に係る携帯電話機５０の外観構成を示すもので、ヒンジ部５１を介在して２つの筐体５２，５３が一体に構成された折りたたみ式となっており、図６（Ａ）が最大限に開いた状態の内面を、図６（Ｂ）が折りたたんだ状態の主として上部筐体５２の外面を示す。
【０１２８】
図６（Ａ）に示すように上部筐体５２の内面には、受話器となるスピーカ５４及びメイン表示部５５が備えられる。
【０１２９】
一方、下部筐体５３の内面には、ダイヤルキー等を含む各種キー５６及び送話器となるマイクロホン５７が備えられる。
【０１３０】
また、図６（Ｂ）に示すように、上部筐体５２の外面には、カメラ部５８、撮影ライト５９、シャッタキー６０、及びサブ表示部６１が備えられる。さらに、下部筐体６３内にも延在されているアンテナ６２がヒンジ部６１より外部に突出形成される。
【０１３１】
図７は、上記携帯電話機５０の回路構成を示すものである。同図で、上記アンテナ６２は最寄りの基地局とＣＤＭＡ方式の通信を行なうものであり、このアンテナ６２にＲＦ部７１を接続している。
【０１３２】
このＲＦ部７１は、受信時にはアンテナ６２から入力された信号をデュプレクサで周波数軸上から分離し、ＰＬＬシンセサイザから出力される所定周波数の局部発振信号と混合することによりＩＦ信号に周波数変換し、さらに広帯域ＢＰＦで受信周波数チャネルのみを抽出し、ＡＧＣ増幅器で希望受信波の信号レベルを一定にしてから次段の変復調部７２へ出力する。
【０１３３】
一方、ＲＦ部７１は送信時に、変復調部７２から送られてくるＯＱＰＳＫ（Ｏｆｆｓｅｔ  Ｑｕａｄｒｉ−Ｐｈａｓｅ  Ｓｈｉｆｔ  Ｋｅｙｉｎｇ）の変調信号を、後述する制御部７５からの制御に基づいてＡＧＣ増幅器で送信電力制御した後にＰＬＬシンセサイザから出力される所定周波数の局部発振信号と混合してＲＦ帯に周波数変換し、ＰＡ（Ｐｏｗｅｒ  Ａｍｐｌｉｆｉｅｒ）で大電力に増幅して、上記デュプレクサを介してアンテナ６２より輻射送信させる。
【０１３４】
変復調部７２は、受信時にＲＦ部７１からのＩＦ信号を直交検波器でベースバンドＩ・Ｑ（Ｉｎ−ｐｈａｓｅ・Ｑｕａｄｒａｔｕｒｅ−ｐｈａｓｅ）信号に分離し、約１０［ＭＨｚ］のサンプルレートでデジタル化してＣＤＭＡ部７３に出力する。
【０１３５】
一方、変復調部７２は送信時に、ＣＤＭＡ部７３から送られてくるデジタル値のＩ・Ｑ信号を約５［ＭＨｚ］のサンプルレートでアナログ化した後に直交変調器でＯＱＰＳＫ変調してＲＦ部７１に送出する。
【０１３６】
ＣＤＭＡ部７３は、受信時に変復調部７２からのデジタル信号をＰＮ（Ｐｓｅｕｄｏ  Ｎｏｉｓｅ：擬似雑音）符号のタイミング抽出回路及びそのタイミング回路の指示に従って逆拡散・復調を行なう複数の復調回路に入力し、そこから出力される複数の復調シンボルの同期をとって合成器で合成して音声処理部７４に出力する。
【０１３７】
一方、ＣＤＭＡ部７３は送信時に、音声処理部７４からの出力シンボルを拡散処理した後にデジタルフィルタで帯域制限をかけてＩ・Ｑ信号とし、変復調部７２に送出する。
【０１３８】
音声処理部７４は、受信時にＣＤＭＡ部７３からの出力シンボルをデインタリーブし、それからビタビ復調器で誤り訂正処理を施した後に、音声処理ＤＳＰ（Ｄｉｇｉｔａｌ  Ｓｉｇｎａｌ  Ｐｒｏｃｃｅｓｓｏｒ）で圧縮されたデジタル信号から通常のデジタル音声信号へと伸長し、これをアナログ化して上記スピーカ（ＳＰ）５４を拡声駆動させる。
【０１３９】
一方、音声処理部７４は送信時に、上記マイクロホン（ＭＩＣ）５７から入力されるアナログの音声信号をデジタル化した後に音声処理ＤＳＰでデータ量を１／８以下に圧縮し、それから畳込み符号器で誤り訂正符号化してからインタリーブし、その出力シンボルをＣＤＭＡ部７３へ送出する。
【０１４０】
しかして、上記ＲＦ部７１、変復調部７２、ＣＤＭＡ部７３、及び音声処理部７４に対して制御部７５を接続し、この制御部７５にＧＰＳレシーバ７６、画像撮影部７７、画像処理部７８、上記メイン表示部５５、上記サブ表示部６１、メモリカード７９、ＬＥＤ部８０、及びバイブレータ部８１を接続している。
【０１４１】
ここで制御部７５は、ＣＰＵとその動作プログラムを固定的に記憶したＲＯＭ、及びワークメモリとして使用されるＲＡＭ、後述するキー操作のない状態を計時する内部タイマ等で構成され、この携帯電話機５０全体の動作を制御する。
【０１４２】
ＧＰＳレシーバ７６は、ＧＰＳアンテナ８２が受信する複数のＧＰＳ衛星からの測位情報により現在位置の緯度、経度、及び高度と正確な現在時刻とを算出し、制御部７５へ出力する。
【０１４３】
画像撮影部７７は、制御部７５の制御の下に、上記カメラ部５８を構成する光学レンズ系８３の撮影光軸後方に配置されたＣＣＤ８４での撮影動作を制御し、撮影により得られる画像データをデジタル化して出力する。
【０１４４】
画像処理部７８は、画像撮影部７７より得られる画像データを例えばＪＰＥＧ方式に基づいてデータ圧縮する一方で、受信した画像データのデータ圧縮を解いて伸長し、元のビットマップ状の画像データを得る。
【０１４５】
メモリカード７９は、この携帯電話機５０に着脱自在に備えられるもので、自機で撮影した画像データや受信により得た画像データ等を記憶しておく。
【０１４６】
ＬＥＤ部８０は、上記撮影ライト５９を構成する高輝度白色ＬＥＤとその駆動回路とでなるものであり、必要によりカメラ部５８の撮影対象となる被写体方向に向けて補助光を照射する。
【０１４７】
バイブレータ部８１は、着信時等に予め設定された振動パターン及び振動強度で振動する。
【０１４８】
なお、上記メイン表示部５５及びサブ表示部６１は、いずれもバックライト付きの反射／透過型カラー液晶パネルで構成され、バックライトを点灯して透過型液晶としての表示が可能である一方、見やすさは多少落ちるものの、バックライトを消灯して外光を用いた反射型液晶としての表示も可能であるものとする。
【０１４９】
また、図示はしないが、上記ヒンジ部５１には上部筐体５２と上部筐体５２の展開状態及び折りたたみ状態を検出するための機構を有するものとする。この検出機構からの情報により制御部７５は、カメラ部５８により画像を撮影しようとするカメラモードにおいて、上記図６（Ａ）に示したように上部筐体５２と下部筐体５３を開いた展開状態では、この携帯電話機５０のユーザが自分以外の他者を撮影しようとする「相手撮り」を行なおうとしているものと判断し、サブ表示部６１での表示を停止してメイン表示部５５でカメラ部５８でのモニタ画像を表示させる。このとき、カメラ部５８のセットキー５８ｂがシャッタキーとして機能するものとする。
【０１５０】
反対に、上記図６（Ｂ）に示したように上部筐体５２と下部筐体５３を閉じた折りたたみ状態では、この携帯電話機５０のユーザが自分自身を撮影しようとする「自分撮り」を行なおうとしているものと判断し、メイン表示部５５での表示を停止してサブ表示部６１でカメラ部５８でのモニタ画像を表示させる。このとき、シャッタキー６０を操作することで画像の撮影を実行できる。
【０１５１】
次に上記実施の形態の動作について説明する。
図８は、主として制御部７５が実行する、待受けモード時からカメラモードへの移行を含む処理内容を示すものである。
【０１５２】
その処理当初には、待受けモード下で各種キー５６の内のカメラキー５６ａの操作によりカメラモードが指定されるのを待機し（ステップＤ０１）、指定されたと判断した時点で、制御部７５の内部タイマによるカウント値ｔをリセットして（ステップＤ０２）、カウント値「０」からのタイムカウントを開始させる。
【０１５３】
この状態で、再度のカメラキー５６ａの操作によりカメラモードが解除されたか否かを判断し（ステップＤ０３）、カメラキー５６ａが操作されていなければ各種キー５６の他のキーまたはサブ表示部６１が操作されたか否かを判断する（ステップＤ０４）。
【０１５４】
カメラキー５６ａ以外の各種キー５６の他のキーまたはシャッタキー６０が操作された場合には、ステップＤ０４でこれを判断し、上記制御部７５の内部タイマによるカウント値ｔを再度リセットして（ステップＤ０５）、カウント値「０」からのタイムカウントを開始させると共に、上記ステップＤ０３からの処理に戻る。
【０１５５】
また、ステップＤ０４で各種キー５６のカメラキー５６ａ以外のキーまたはシャッタキー６０も操作されていないと判断した場合には、次にその時点での制御部７５の内部タイマのカウント値ｔが予め設定された第１の時間値Ｔ１（＝例えば６０秒）より小さいか否かを判断し（ステップＤ０６）、該時間値Ｔ１より小さい場合にはそのまま再び上記ステップＤ０３からの処理に戻る。
【０１５６】
この時点で、上述した如く上記図６（Ａ）に示した「相手撮り」の状態ではメイン表示部５５がモニタ表示部となり、そのバックライトが１００％の発光輝度で点灯駆動されるので透過型液晶として機能してモニタ画像を表示させる。
【０１５７】
反対に、上記図６（Ｂ）に示した「自分撮り」の状態では、サブ表示部６１がモニタ表示部となり、そのバックライトが１００％の発光輝度で点灯駆動されるので透過型液晶として機能してモニタ画像を表示させる。
【０１５８】
しかして、メイン表示部５５またはサブ表示部６１のバックライトを１００％の発光輝度で点灯して透過型液晶によるモニタ画像の表示状態で、各種キー５６を構成するいずれのキーまたはシャッタキー６０の操作もないままに上記ステップＤ０３，Ｄ０４，Ｄ０６の処理を繰返し実行しながら時間が経過し、制御部７５の内部タイマのカウント値ｔが上記時間値Ｔ１以上となると、ステップＤ０６によりこれを判断し、次にその時点での制御部７５の内部タイマのカウント値ｔが、上記時間値Ｔ１以上であり、且つ予め設定した第２の時間値Ｔ２（＝例えば１２０秒）より小さいか否かを判断する（ステップＤ０７）。
【０１５９】
内部タイマのカウント値ｔが該時間値Ｔ２より小さい場合には、その時点でモニタ画像として使用しているメイン表示部５５またはサブ表示部６１のバックライトの発光輝度を５０％ダウンさせた上で、同様に透過型液晶として機能させ（ステップＤ０８）、再び上記ステップＤ０３からの処理に戻る。
【０１６０】
こうして、その時点で使用しているメイン表示部５５またはサブ表示部６１のの発光輝度を落とした状態で各種キー５６またはシャッタキー６０の操作もないままに上記ステップＤ０３，Ｄ０４，Ｄ０６〜Ｄ０８の処理を繰返し実行しながらさらに時間が経過し、制御部７５の内部タイマのカウント値ｔが上記時間値Ｔ２以上となると、ステップＤ０７によりこれを判断し、次にその時点での制御部７５の内部タイマのカウント値ｔが、今度は上記時間値Ｔ２以上であり、且つ予め設定した第３の時間値Ｔ３（＝例えば１８０秒）より小さいか否かを判断する（ステップＤ０９）。
【０１６１】
内部タイマのカウント値ｔが該時間値Ｔ３より小さい場合には、メイン表示部５５またはサブ表示部６１のバックライトを消灯し、メイン表示部５５またはサブ表示部６１を今度は反射型の液晶として機能させて撮影に伴うモニタ画像を表示させた上で（ステップＤ１０）、再び上記ステップＤ０３からの処理に戻る。
【０１６２】
こうしてメイン表示部５５またはサブ表示部６１を反射型の液晶としてモニタ画像を表示させた状態で各種キー５６またはシャッタキー６０の操作もないままに上記ステップＤ０３，Ｄ０４，Ｄ０６，Ｄ０７，Ｄ０９，Ｄ１０の処理を繰返し実行しながらさらに時間が経過し、制御部７５の内部タイマのカウント値ｔが上記時間値Ｔ３以上となると、ステップＤ０９によりこれを判断し、カメラ部５８を用いたカメラモードを解除して、再びより電力消費の少ない待受けモードに復帰し（ステップＤ１１）、再び上記ステップＤ０１に戻る。
【０１６３】
また、上記ステップＤ０３で各種キー５６のカメラキー５６ａが操作されたと判断した場合には、すみやかに上記ステップＤ１１に進んでカメラモードを解除し、より電力消費の少ない待受けモードに復帰する。
【０１６４】
以上示した如く、カメラモード下で各種キー５６またはシャッタキー６０の操作がない場合、カメラキー５６ａ操作によるはじめのカメラモード設定時から時間値Ｔ１となるまでの間はそのままメイン表示部５５またはサブ表示部６１をバックライトの発光輝度１００％として透過型液晶として機能させ、通常のモニタ画像を表示させ、時間値Ｔ１となってから次の時間値Ｔ２となるまでの間は該バックライトの発光輝度を５０％ダウンさせ、さらに時間値Ｔ２となってから次の時間値Ｔ３となるまでの間は該バックライトを完全に消灯させてメイン表示部５５またはサブ表示部６１を反射型の液晶として機能させてモニタ画像を表示させ、最後に時間値Ｔ３となった時点でカメラモードを解除して、より電力消費の少ない通常の待受けモードに復帰させる。
【０１６５】
このようにカメラモード下から待受けモードに復帰させるまでの間においても、その計時内容に応じてメイン表示部５５またはサブ表示部６１のバックライトの発光輝度を一旦ダウンさせ、最終的には消灯して反射型として機能させるようにした。
【０１６６】
これによりこの携帯電話機５０のユーザは、メイン表示部５５またはサブ表示部６１での表示画像の明るさから、カメラモードが解除されて待受けモードに復帰するまでのおおよその時間を視覚的に容易に把握できる。
【０１６７】
したがってユーザは、例えばカメラモード時にどのような画像を撮影しようか思案している状態でメイン表示部５５またはサブ表示部６１の表示画像が暗く、バックライトが点灯されていない場合には、動作に支障のないなんらかのキー操作、例えば各種キー５６のいずれかのダイヤルキー等を操作することで制御部７５の内部タイマのカウント値ｔをリセットさせ、メイン表示部５５またはサブ表示部６１を明るい表示状態に戻して、さらに構図を工夫するなどすれば、突然カメラモードが解除されて待受けモードに復帰してしまうというような事態を容易に回避することができる。
【０１６８】
加えて、カメラモード下で各種キー５６またはシャッタキー６０の操作がなされない状態が長くなるほどメイン表示部５５またはサブ表示部６１のバックライトの発光輝度を最終的には消灯するまでダウンさせることで、携帯電話機５０の中でも比較的電力消費量の大きいバックライトの電力消費を抑え、容量が制限されている電池電源をより有効に活用することができる。
【０１６９】
なお、上記第１乃至第３の実施の形態は本発明をデジタルカメラに適用した場合、第４の実施の形態は本発明をカメラ機能付きの携帯電話機に適用した場合についてそれぞれ示したものであるが、本発明はこれに限らず、時計、電卓、電子手帳、ＰＤＡ、電子辞書など、ある程度の携帯性を重視し、電池を電源として動作する多くの電子機器であればいずれにも適用可能となる。
【０１７０】
また、上記第１乃至第４の実施の形態における時間値Ｔ１〜Ｔ３の（段階）数や具体的な値などは一例であり、その電子機器の性質を考慮して設定するものとしてもよいし、ユーザ自身がカスタムモード等で好みの内容に自由に設定できるものとしてもよい。
【０１７１】
その他、本発明は上記実施の形態に限らず、その要旨を逸脱しない範囲内で種々変形して実施することが可能であるものとする。
【０１７２】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１７３】
【発明の効果】
請求項１記載の発明によれば、第１の動作モードから、より電力消費の少ない第２の動作モードに移行するまでの経過工程をなんらかの報知出力手段により段階的に出力するようにしたため、その状態をユーザが容易に認識できる。
【０１７４】
請求項２記載の発明によれば、上記請求項１記載の発明の効果に加えて、ＡＰＯ機能を搭載するすべての機器に適応することができる。
【０１７５】
請求項３記載の発明によれば、上記請求項１記載の発明の効果に加えて、例えば液晶パネルのバックライトの輝度を順次段階的に低下させるなど、発光表示素子の発光輝度により視覚的に容易に第２の動作モードへの移行状態を把握できると共に、電力消費の削減にも寄与できる。
【０１７６】
請求項４記載の発明によれば、上記請求項１または２記載の発明の効果に加えて、例えばＬＥＤの発光色や点滅パターン等により視覚的に容易に第２の動作モードへの移行状態を把握できる。
【０１７７】
請求項５記載の発明によれば、上記請求項１または２記載の発明の効果に加えて、例えばビープ音の音程や出力パターン等により、機器自体を注視していなくとも聴覚で容易に第２の動作モードへの移行状態を把握できる。
【０１７８】
請求項６記載の発明によれば、上記請求項１または２記載の発明の効果に加えて、例えばバイブレータの振動強度、振動パターンや振動頻度により、機器を保持しているだけでその振動内容から容易に第２の動作モードへの移行状態を把握できる。
【０１７９】
請求項７記載の発明によれば、第１の動作モードから、より電力消費の少ない第２の動作モードに移行するまでの経過工程をなんらかの報知出力手段により段階的に出力するようにしたため、その状態をユーザが容易に認識できる。
【０１８０】
請求項８記載の発明によれば、第１の動作モードから、より電力消費の少ない第２の動作モードに移行するまでの経過工程をなんらかの報知出力手段により段階的に出力するようにしたため、その状態をユーザが容易に認識できる。
【図面の簡単な説明】
【図１】本発明の第１の実施の形態に係るデジタルスチルカメラの外観構成を示す斜視図。
【図２】同実施の形態に係る電子回路の構成を示すブロック図。
【図３】同実施の形態に係る電源制御の処理内容を示すフローチャート。
【図４】本発明の第２の実施の形態に係るデジタルスチルカメラの電源制御の処理内容を示すフローチャート。
【図５】本発明の第３の実施の形態に係るデジタルスチルカメラの電源制御の処理内容を示すフローチャート。
【図６】本発明の第４の実施の形態に係るカメラ付き携帯電話機の外観構成を示す平面図。
【図７】同実施の形態に係る電子回路の構成を示すブロック図。
【図８】同実施の形態に係る電源制御の処理内容を示すフローチャート。
【符号の説明】
１…デジタルカメラ、２…撮影レンズ２、３…セルフタイマランプ、４…光学ファインダ窓、５…マイクロホン部、６…ストロボ発光部、７…ラバーグリップ、８…電源キー、９…シャッタキー、１０…モードスイッチ、１１…スピーカ部、１２…メニューキー、１３…十字キー、１４…セットキー、１５…光学ファインダ、１６…ストロボチャージランプ、１７…表示部、２１…モータ（Ｍ）、２２…レンズ光学系、２３…ＣＣＤ、２４…タイミング発生器（ＴＧ）、２５…垂直ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…キー入力部、３７…ＪＰＥＧ回路、３８…メモリカード、３９…内蔵メモリ、４０…音声処理部、４１…ＵＳＢインタフェース（Ｉ／Ｆ）、４２…ＬＥＤ部、４３…バイブレータ部、４４…ストロボ駆動部、５０…携帯電話機、５１…ヒンジ部、５２…上部筐体、５３…下部筐体、５４…スピーカ、５５…メイン表示部、５６…各種キー、５７…マイクロホン、５８…カメラ部、５９…撮影ライト、６０…シャッタキー、６１…サブ表示部、６２…アンテナ、７１…ＲＦ部、７２…変復調部、７３…ＣＤＭＡ部、７４…音声処理部、７５…制御部、７６…ＧＰＳレシーバ、７７…画像撮影部、７８…画像処理部、７９…メモリカード、８０…ＬＥＤ部、８１…バイブレータ部、８２…ＧＰＳアンテナ、８３…光学レンズ系、８４…ＣＣＤ。
【図１】
2004304260.tif 000003
【図２】
2004304260.tif 000004
【図３】
2004304260.tif 000005
【図４】
2004304260.tif 000006
【図５】
2004304260.tif 000007
【図６】
2004304260.tif 000008
【図７】
2004304260.tif 000009
【図８】
2004304260.tif 000010